(57)【要約】【課題】  フレーム１２の剛性や外形形状について、また、マスクフレーム構体の展張プロセスや製造プロセスについても変更することなく、外部から伝わる振動による色選別マスク６の振動を軽減することで、画面の振動現象による画質の低下を防止することが可能であり、また、試作によりその振動の軽減の効果を確認して、必要であればその結果による調整が容易なマスクフレーム構体及びカラー陰極線管を得ることを目的とする。【解決手段】  色選別マスク６を支持するフレーム１２に、このフレーム１２の重量を任意に変更するための錘１３を固着したものである。【選択図】  図２
2005353468.tif 000002
【特許請求の範囲】
【請求項１】
色選別マスク、この色選別マスクを支持するフレーム及びこのフレームに固着され、上記フレームの質量を変更する錘を備えたマスクフレーム構体。
【請求項２】
錘は金属からなり、そのフレームへの固着は溶接によることを特徴とする請求項１に記載のマスクフレーム構体。
【請求項３】
錘の固着は一点溶接によることを特徴とする請求項２に記載のマスクフレーム構体。
【請求項４】
錘は固着されるフレームと同一又は熱膨張係数の近い金属からなることを特徴とする請求項２に記載のマスクフレーム構体。
【請求項５】
色選別マスクはフレームの対向する２辺に引張力を印加された状態で支持され、その引張力の大きさが、上記２辺の中央から端に向けて単調増加であることを特徴とする請求項１から４のいずれかに記載のマスクフレーム構体。
【請求項６】
色選別マスクと接触し、その色選別マスクの振動を減衰するダンパ−線を備えたことを特徴とする請求項１から５のいずれかに記載のマスクフレーム構体。
【請求項７】
請求項１から６のいずれかに記載のマスクフレーム構体を備えたことを特徴とするカラー陰極線管。
【発明の詳細な説明】
【技術分野】
【０００１】
この発明は、テレビ受像機やディスプレイモニタ等のカラー陰極線管及びそのカラー陰極線管に用いられるマスクフレーム構体に関するものである。
【背景技術】
【０００２】
カラー陰極線管において、色選別マスクを単にフレームにより支持するのみでは、外部からの振動により容易に色選別マスクが振動してしまい、カラー陰極線管の表示画像に悪影響を与える。このため、色選別マスクに一定の張力を加えてフレームに架張保持することが行われているが、この張力のみでは色選別マスクの振動を完全に抑えることができない。この色選別マスクの振動を低減するために、振動を減衰させる又は吸収する手段が、数多く検討されている。
【０００３】
例えば、従来のカラー陰極線管は、色選別マスクであるシャドウマスクの端部に取り付けられた振動減衰体を備え、その振動減衰体はシャドウマスクとの固着部分が無く、かつ遊動可能であるので、シャドウマスクが振動すると、振動減衰体はシャドウマスクと一体となった振動はせず、シャドウマスクと接触、摺動又は一時的な離間を繰り返しながら別個独立に振動することで、シャドウマスクの振動エネルギーを吸収して振動を減衰させるように構成されていた。（例えば特許文献１参照）
【０００４】
又は、シャドウマスクを支持する１対のサポート部材間の各弾性部材に、シャドウマスクの側部の一部を支持又は接触する支持部材を備えて、外部からの衝撃による振動を減らすことができるように構成されていた。（例えば特許文献２参照）
【０００５】
又は、色選別マスクであるテンションマスクのストリップと並行する方向のテンションマスクの短辺部と接触される振動防止部材を備え、テンションマスクの振動を防止でき、さらには、テンションマスクの振動による画像の振動を防止できるように構成されていた。（例えば特許文献３参照）
【０００６】
【特許文献１】特許第３３００６６９号公報（第３−４頁、図９、図１１）
【特許文献２】特開２０００−２１５８２４号公報（第３−４頁、図３）
【特許文献３】特開２００１−２２９８４５号公報（第３−４頁、図１）
【発明の開示】
【発明が解決しようとする課題】
【０００７】
従来のカラー陰極線管用のマスクフレーム構体では、振動減衰体を色選別マスクに接触させた状態で支持部材を介して取り付ける際に、色選別マスクの形状を変形させてしまう恐れがあり、言い換えると、色選別マスクの形状を変化させないように振動減衰装置を取り付ける必要があり、複雑な取付け装置又は手動での取付けを余儀なくされ、生産性に問題があった。
【０００８】
また、マスクフレーム構体、特に色選別マスクとフレームの設計に際して、振動減衰体との接触部分の形状等の設計をあらかじめ実施しておく必要があり、試作品により色選別マスクの振動を確認して、事前のシミュレーション等では予測できなかった振動が確認できた場合などは、再度マスクフレーム構体の設計を見直す必要があった。
【０００９】
また、振動減衰装置を色選別マスク周辺部に設けても、色選別マスク周辺部が必ずしも振動するとは限らず、例えば、色選別マスク中央部の振幅が最も大きく、左右の周辺部ではほとんど振動しない振動分布では、振動減衰装置は色選別マスクの振動エネルギーを抽出、吸収することができず、色選別マスクの振動減衰の効果が十分に得られないという課題があった。
【００１０】
この発明は、前記のような課題を解決するためになされたものであり、その目的は、マスクフレーム構体のフレーム剛性や外形形状等の基本設計、またマスクフレーム構体の展張プロセスや製造プロセスについても変更することなく、すなわち、試作によりその振動の軽減の効果を確認したときに、必要であればその結果による調整を上記の基本設計やプロセスに影響することなく容易に行える手段により、外部から伝わる振動による色選別マスクの振動を軽減することで、画面の振動現象による画質の低下を防止することができるマスクフレーム構体及びカラー陰極線管を得ることにある。
【課題を解決するための手段】
【００１１】
この発明に係るマスクフレーム構体は、色選別マスクを支持するフレームに、このフレームの重量を任意に変更するための錘を固着したものである。また、この発明に係るカラー陰極線管は、上記マスクフレーム構体を備えるものである。
【発明の効果】
【００１２】
この発明によれば、色選別マスクを支持するフレームに錘を固着することで、フレーム剛性や形状などに影響を与えることなく、フレームの重量を任意に変更してその固有振動周波数を調整することが可能になる。この結果、展張プロセスや製造プロセスを変更することなく、すなわち試作による確認を踏まえて、必要であればそれらプロセスに影響ない方法で調整できる手段により、フレームの固有振動周波数を調整でき、色選別マスクが外部から伝達される振動に共振することを回避できる。
これにより、外部から伝わる振動による色選別マスクの振動が軽減され、画面の振動現象による画質の低下を防止することができる。
【発明を実施するための最良の形態】
【００１３】
始めにこの発明の動作原理について説明する。
カラー陰極線管の画面上の画像の揺れの主要な原因のひとつとして、その画像を表示する蛍光体スクリーンへの電子ビームの投射にあたり、その電子ビームが透過する色選別マスクが揺れることが挙げられるが、その色選別マスクの揺れは主に以下のようなメカニズムにより起きる。
【００１４】
外部から与えられる衝撃やスピーカの音等によって生じる振動は、蛍光体スクリーンを内面に備えるパネル部に伝播する。このパネル部には弾性支持体が装着されており、この弾性支持体は、色選別マスク及びその色選別マスクを支持するフレーム等から構成されるマスクフレーム構体を、色選別マスクが蛍光体スクリーンに対向するように保持している。したがってパネル部の振動は、弾性支持体を介してフレーム、そして色選別マスクへと伝播し、最終的には色選別マスクの揺れとなって現れる。
この色選別マスクの揺れが、蛍光体スクリーンへの電子ビームの投射位置の変動に影響し、蛍光体スクリーン上に表示される画像が振動しているような現象が現れる。
【００１５】
この色選別マスクの揺れは、フレームの振動に色選別マスクが共振するときに最も大きくなる。一方、色選別マスクにはその中央からの距離によって異なる張力が加えられており、この張力に応じて固有振動周波数が変化する。つまり、色選別マスクの固有振動周波数はその中央からの距離に応じた分布となる。この色選別マスクの固有振動周波数の分布をその中央からの距離Ｌに対してＦ（Ｌ）とし、フレームの固有振動周波数をｆとすると、あるＬに対してｆ＝Ｆ（Ｌ）となるときに共振が発生して、そのＬ近傍で大きな揺れが起きる。
【００１６】
近年ではカラー陰極線管の軽量化及びコスト削減のために、フレームの軽量化が実施されることでフレームの剛性が低下し、これにつれてフレームの固有振動周波数が低下する傾向にある。一方、色選別マスクの張力分布についても、フレームの剛性低下に伴って高張力を維持することができず、色選別マスクの固有振動周波数の分布範囲内にフレームの固有振動周波数が合致してしまうことで共振が起きている。
【００１７】
この共振を避けるためにフレームの固有振動周波数を変更する手段として、フレームの剛性を向上させる手段とフレームの質量を変化させる手段の２つがあるが、フレームの剛性を向上させることは、フレームの材質や形状等の多くの制約条件が関係するので、大幅な設計変更が必要となる。一方、フレームの固有振動周波数は、材質や形状等が変化せずばね定数が一定のときは概ねその質量により定まり、質量が増加すると固有振動周波数が低下する関係にある。
【００１８】
よってこの発明の如く、フレームに錘を付加する方法によれば、フレームの材質や形状等を変化させることなく、その質量を任意に変化させることができ、ひいてはその固有振動周波数を調整することが可能である。
つまり、フレームの固有振動周波数ｆの値が上記色選別マスクの固有振動周波数Ｆ（Ｌ）の分布範囲内にあるときに、錘により上記フレームの質量を変化させてｆの値を調整してＦ（Ｌ）の分布範囲外にすれば、フレームの振動への色選別マスクの共振を防止して、外部より伝播してくる振動による画像の揺れを軽減することが可能となる。
【００１９】
また、蛍光体スクリーンに投射される電子ビームは、蛍光体スクリーンの中央部に位置する一式の電子銃より投射されることから、色選別マスク及び蛍光体スクリーンの中央部に比べてその端部で電子ビームの投射角が小さくなることにより、色選別マスクの揺れの画像への影響の度合いは、色選別マスクの中央部で起きたときに比べて端部で起きたときの方が大きい特性がある。
【００２０】
したがって、色選別マスクの張力分布、すなわち固有振動周波数の分布が色選別マスクの端部に比べて中央部で低いときに、色選別マスクの端部にフレームの振動に共振する領域があれば、フレームの重量を増してその固有振動周波数を低下することは、色選別マスクのフレームの振動に共振する領域をその端部より中央部に移動させることになり、これはすなわち、色選別マスクの揺れる領域をその端部から画像への揺れの影響が比較的少ない中央部に移動することになる。
したがって、色選別マスクの張力分布、すなわち固有振動周波数の分布をその端部に比べて中央部で低くしておけば、フレームの固有振動周波数ｆを色選別マスクの固有振動周波数Ｆ（Ｌ）の分布範囲外にしなくとも、より少ない重量の錘で、画面の振動現象による画質の低下を軽減することが可能である。
【００２１】
実施の形態１．
図１は、この発明の実施の形態１のマスクフレーム構体を備えるカラー陰極線管の全体構成を示すものである。図１において、カラー陰極線管１は、ほぼ矩形状のパネル部２、このパネル部２に連設された漏斗状のファンネル部３及びこのファンネル部３の径小端部に連設される円筒状のネック部４からなる。
【００２２】
パネル部２の内面には、青、緑、赤に発光する３色蛍光体層からなる蛍光体スクリーン５が設けられ、この蛍光体スクリーン５に対向して色選別マスク６が配置されており、この色選別マスク６はマスクフレーム構体７の一部を構成する。
一方、ネック部４内には、同一水平面上を通るセンタービーム及び一対のサイドビームからなる一列配置の電子ビーム８を放出するインライン型の電子銃９が配設されている。
【００２３】
そして、ファンネル部３のネック部４近傍の外側に偏向ヨーク１０が装着され、この偏向ヨーク１０の発生するピンクッション形水平偏向磁界及びバレル形垂直偏向磁界により、電子銃９から放出される電子ビーム８をパネル部２の水平軸（Ｈ軸：長軸）方向及び垂直軸（Ｖ軸：短軸）方向に偏向して、蛍光体スクリーン５を水平、垂直走査することにより、カラー画像を表示するものとなっている。
その蛍光体スクリーン５のアスペクト比、すなわち蛍光体スクリーン５の水平軸方向径と垂直軸方向径との比は４：３又は１６：９である。
【００２４】
図２はカラー陰極線管1のマスクフレーム構体７の概略斜視図を示すものである。図２において、色選別マスク６は電子ビーム８が通過する複数のスリット１１を有しており、また一方向に引張り力を付加させるようにフレーム１２に溶接固着されている。また、色選別マスク６の振動を防止するために錘１３がフレーム１２に付加され、色選別マスク６の振動減衰機構として色選別マスク６に接触するようにダンパー線１４が配置されている。なお、このマスクフレーム構体７は弾性支持体１５によりパネル部２に装着保持される。
【００２５】
図３はマスクフレーム構体７のフレーム１２の概略斜視図を示すものである。フレーム１２は各一対の相対向する長辺支持フレーム１６及び短辺弾性フレーム１７により構成されており、短辺弾性フレーム１７は長辺支持フレーム１６間に渡って長辺支持フレーム１６を所定の距離を隔てて支持している。これら長辺支持フレーム１６及び短辺弾性フレーム１７は中空多角形状の断面に形成さている。色選別マスク６は、矢印A方向に引張り応力が加わるような状態で長辺支持フレーム１６に溶接固着されている。
【００２６】
図４は色選別マスク６に加えられる張力の分布を示したグラフであり、縦軸はグリッドと呼称される色選別マスク６のスリット１１の間の部分の引張り応力、すなわち張力を示し、横軸は図３に示した色選別マスクのＸ方向の位置をその中央からの距離により示す。図４に示すように色選別マスク６の中央部の張力をＴ１、端部の張力をＴ３、中央部と端部との中間部の張力をＴ２とするとＴ１≦Ｔ２≦Ｔ３、すなわち中央部から端部に向けて単調増加であり、かつグラフの形状が略Ｕ字形状、すなわち張力の増加の度合い中央部から端部に向けて単調増加となるように形成されている。
【００２７】
ここで、色選別マスク６に与える張力について補足説明する。
この張力が高すぎると、色選別マスク６の黒化熱処理、すなわち四三酸化鉄膜形成処理、パネル部２とファンネル部３の接合処理又はカラー陰極線管１の真空排気処理において、色選別マスク６に加えられる三百数十乃至四百数十度の熱によって色選別マスク６が昇温し、その温度における色選別マスク６の素体耐力を張力による負荷応力が超えて、大きな永久歪みが色選別マスク６のスリット１１に発生する。また、色選別マスク６を保持するフレーム１２が熱により歪み、色選別マスク６の面の寸法・精度が劣化する。
逆に上記張力が低すぎると、色選別マスク６のスリット１１の振動、振幅が大きく、すなわち揺れ易くなり、表示装置としての使用限度を超える画像の乱れを招く。
【００２８】
よって事前にそれらの影響を考慮した、最適な色選別マスク６の張力分布及びフレーム形状に設定されねばならない。
なお、この所定の張力分布を得るための展張プロセス条件や展張装置は、現在までに数多く検討され現在までに種々提案されているが、ここではその説明を省略する。
【００２９】
次に、画像の乱れについて図５を用いて説明する。図５は、電子ビーム８が色選別マスク６のスリット１１で絞られて、パネル部２の内面に形成された蛍光体スクリーン５に投射されている様子を示すものである。なお、色選別マスク６の振動減衰機構として色選別マスク６に接触するようにダンパー線１４が配置されている。図中（ａ）及び（ｃ）がカラー陰極線管１の画面中央部、図中（ｂ）及び（ｄ）が画面端部の様子を示している。
パネル部２及び色選別マスク６の法線方向であるＺ方向と、画面左右方向であるＸ方向に分けて考察すると、（ａ）及び（ｂ）はスリット１１がＺ方向に振動するとき、（ｃ）及び（ｄ）はスリット１１がＸ方向に振動するときの様子をそれぞれ示している。
【００３０】
図５の（ａ）及び（ｃ）に示すように、画面中央部はＺ方向に対する電子ビーム８の投射角度が小さく、実線で表す色選別マスク６のスリット１１がＺ方向に振動して点線で表すように変位して揺れても、電子ビーム８の蛍光体スクリーン５への投射位置の変動に影響を与えず、色選別マスク６のスリット１１の揺れがＸ方向の電子ビーム８の蛍光体スクリーン５への投射位置変動、すなわち画面の乱れにあまり影響を与えない。
【００３１】
そして、この色選別マスク６のスリット１１のＺ方向及びＸ方向の揺れは、電子ビーム８の蛍光体スクリーン５への投射位置のＸ方向の変動、すなわち画面の乱れに影響を与えるが、その度合いは偏向角の違いにより、図５の（ｂ）及び（ｄ）に示すように中央部から端部に行くに連れて大きくなる。すなわち、中央部は端部に比べて色選別マスク６の揺れの影響が小さく、色選別マスク６の揺れ度合いの許容量が大きい。これにより、色選別マスク６の中央部に与える張力は端部より小さく（低く）設定できる。
よって前述したように、色選別マスク６の中央部の張力をＴ１、端部張力をＴ３、中央部と端部との中間部の張力をＴ２とするとＴ１≦Ｔ２≦Ｔ３、すなわち中央部から端部に向けて単調増加としている。
【００３２】
さらに好ましくは、色選別マスク６の隣り合う部分の間での固有振動周波数の差をより大きくすることで、その一部が外部からの振動に共振したとき、その共振が周囲に伝播しにくくなる。このため、グラフの形状が略Ｕ字形状、すなわち張力の増加の度合いが中央部から端部に向けて単調増加となる張力分布を色選別マスク６に与えることで、外部振動に誘起される色選別マスク６の局所的な振動が他所に伝播しにくく、一旦誘起された局所的振動の減衰を早める効果もある。また、略Ｕ字形状の張力分布の勾配をより大きくする事で、局所的振動の影響面積をより少なくすることも可能である。
【００３３】
前述のとおり、色選別マスク６の揺れが電子ビーム８の蛍光体スクリーン５への投射位置の変動に影響し、蛍光体スクリーン５上に表示される画像が振動しているような現象が現れる。これは、外部から与えられる衝撃やスピーカの音等によって生じる振動が、パネル部２からそのパネル部２にマスクフレーム構体７を装着保持する弾性支持体１５へ、その弾性支持体１５からフレーム１２へ、そして最終的には色選別マスク６へと伝播することによって、色選別マスク６の揺れとなって現れることによって引き起こされる。
【００３４】
この色選別マスク６の揺れは、フレーム１２の振動に色選別マスク６が共振するときに最も大きくなるので、これを避けるためにフレーム１２の固有振動周波数を変更する手段として、フレーム１２に錘１３を付加する手段が有効である。すなわち、フレーム１２の固有振動周波数ｆの値が色選別マスク６の張力分布により定まる固有振動周波数Ｆ（Ｌ）の分布範囲内にあるときに、フレーム１２の質量を変化させてｆの値をＦ（Ｌ）の分布範囲外にずらすか、又は固有振動周波数の一致する領域を色選別マスク６の端部から中央部に移動することで、画面の揺れを軽減することが可能となる。
【００３５】
図６はこの実施の形態１のマスクフレーム構体７の上面図を示すものであり、図７は図６の矢視Aよりの部分拡大図を示すものである。図６に示すように、重量及び形状が同一である４つの錘１３が、略矩形状のフレーム１２の各コーナー部近傍の短辺弾性フレーム１７へ各々溶接固着されている。短辺弾性フレーム１７は中空の略矩形状断面に形成されており、色選別マスク６の振動を防止する錘１３は短辺弾性フレーム１７の内部に溶接固着されている。
【００３６】
この実施の形態１では、マスクフレーム構体７は、外部から伝播する振動に対して、錘１３をフレーム１２に取り付けてフレーム１２の固有振動周波数を制御することで、色選別マスク６の共振を軽減している。また、色選別マスク６の面上を横切って設置されているダンパー線１４で色選別マスク６の振動を抑制している。
【００３７】
前述のように、外部から伝わる振動による色選別マスク６の振動位置が中央部より端部に近いとき、色選別マスク６の振動方向に対して異なる方向から電子ビーム８が照射されることから、微小な色選別マスク１６の振動でもスリットを通過する電子ビーム８の軌跡が変わってしまい、電子ビーム８が蛍光体スクリーン５へ正しく投射されないランディング誤差が発生し、蛍光体スクリーン５上に表示される画像が振動しているような現象が顕著になる。
【００３８】
そこで、フレーム１２の振動に共振する領域が、色選別マスク６の端部に近く位置していたときは、錘１３によってフレーム１２の固有振動周波数ｆの値を小さくすることで、そのｆの値に合致する固有振動周波数を持つ領域を中央部に移動させ、画面の振動現象を起こりにくくする。つまり、色選別マスク６は中央部で振動するものの、Ｚ方向の揺れについては、電子ビーム８の照射方向と色選別マスク６の振動方向とが一致するため、色選別マスク６の振動によるランディング誤差が小さくなり、蛍光体スクリーン５上に表示される画像では振動していないようになる。Ｘ方向の揺れについても、その影響の度合いは端部に比べて中央部では軽減される。
【００３９】
以上に基づくマスクフレーム構体７を備えた３４吋カラー陰極線管１を試作して評価した結果を表１に示す。表１では、錘１３を取り付けた場合と取り付けていない場合とを比較しており、フレーム１２の固有振動周波数、すなわち色選別マスク６の共振する周波数、その共振の起きる位置の中央よりの距離及びその色選別マスク６の共振によって起きる画面の色ずれ発生有無を示す。なお、錘無しのマスクフレーム重量は２２００ｇである。
【００４０】
【表１】
2005353468.tif 000003
【００４１】
またこれにより、これまで特定の振動周波数、本実験では１４５Ｈｚ、を加えることで発生していた画面上での揺れ、すなわち色選別マスク６が振動することによる画面の色ずれ、を画面上で揺れが視認できない程度にできたことを確認した。
【００４２】
なお、この実施の形態１においてはフレーム１２に付加する錘１３は短辺弾性フレーム１７の両端の計４ヶ所に溶接固定した例について述べたが、フレーム１２の剛性や外形形状及び展張プロセスや製造プロセスでのフレーム１２の弾性変形を阻害するものでなければ、錘の形状、個数、溶接固定位置等について限定するものではない。
【００４３】
なお、短辺弾性フレーム１７への錘１３の溶接は１点溶接固定とすることでフレーム１２の剛性や外形形状を変更することなく、かつ展張プロセスや製造プロセスでのフレーム１２の弾性変形を阻害することを防ぐことができる。また、CRT製造プロセスでは、色選別マスク６の架張時に生じる応力緩和のための熱処理やフリット工程等複数回の高温熱処理工程が必要であることから、錘１３の材料としては、フレーム１２との熱膨張差で溶接はずれ等の不具合を防止するため、溶接固着するフレーム１２と同一の金属材料又は熱膨張差の小さい金属材料とすることが望ましい。
【００４４】
なお、実施の形態１においては、アパーチャグリル型の色選別マスク６について記述したが、色選別マスク６がシャドウマスク型でも同等の効果を示す。
【００４５】
実施の形態２．
実施の形態１においては、錘１３を中空多角形状の断面に形成されている短辺弾性フレーム１７内部に溶接固着したが、図８に示すように、錘１３を色選別マスク６が溶接固定されている中空多角形状の断面に形成されている一対の相対向する長辺支持フレーム１６の内部に溶接固着しても同様の効果を示す。
【００４６】
実施の形態３．
また、図９に示すように、錘１３を中空多角形状の断面に形成されているフレーム外部に溶接固着しても実施の形態１と同様の効果を示す。
【図面の簡単な説明】
【００４７】
【図１】この発明の実施の形態１のカラー陰極線管の全体構造図である。
【図２】この発明の実施の形態１のマスクフレーム構体の概略斜視図である。
【図３】この発明の実施の形態１のマスクフレーム構体のフレームの概略斜視図である。
【図４】この発明の実施の形態１のマスクフレーム構体の張力分布のグラフである。
【図５】この発明のカラー陰極線管の画像の乱れについての説明図である。
【図６】この発明の実施の形態１のマスクフレーム構体の上面図である。‘
【図７】この発明の実施の形態１のマスクフレーム構体の一部を拡大した斜視図である。
【図８】この発明の実施の形態２のマスクフレーム構体のフレームの概略斜視図である。
【図９】この発明の実施の形態３のマスクフレーム構体のフレームの概略斜視図である。
【符号の説明】
【００４８】
１    カラー陰極線管
７    色選別マスク
８    マスクフレーム構体
１２  フレーム
１３  錘
１４  ダンパー線
【図１】
2005353468.tif 000004
【図２】
2005353468.tif 000005
【図３】
2005353468.tif 000006
【図４】
2005353468.tif 000007
【図５】
2005353468.tif 000008
【図６】
2005353468.tif 000009
【図７】
2005353468.tif 000010
【図８】
2005353468.tif 000011
【図９】
2005353468.tif 000012